(57)【要約】【課題】送風ダクトや吸込みダクトを分岐し、複数の室内を同時に冷暖房することがあり、ダクト長やダクトの曲がりそして分岐数により、各室内への吹出し風量と吸気風量が異なることにより、室内空気の流出や室外空気の流入により空調ロスが発生するという課題があり、各室内に同風量の吹出しと吸気風量を供給し快適環境を創り出すことを目的とする。【解決手段】吸気モータ１と吸気ファン２を備えた吸込みユニット１０７と、吹出しモータ９と吹出しファン１０を備えた吹出しユニット１０８からの風量を同風量に制御することにより、ダクト長やダクトの曲がりそして分岐数による風路の抵抗を考慮することなく、必要量の吹出しと吸気風量で空気調和した空気を室内１１１に循環供給することができる空気調和機を得られる。【選択図】図１
2007071495.tif 000002
【特許請求の範囲】
【請求項１】
室外機と、前記室外機より冷媒配管により接続されている熱交換器を備えた室内機と、前記室内機とダクトで接続され室内空気を吸気する吸気モータと吸気ファンを備えた吸込みユニットと、前記吸込みユニットに吸気ファンと吸気モータを制御する吸気制御手段と、前記室内機とダクトで接続され室内空気を吹出す吹出しモータと吹出しファンを備えた吹出しユニットと、前記吹出しユニットに吹出しファンと吹出しモータを制御する吹出制御手段を備え、前記吸気制御手段は、前記吸気モータの電流値検出手段より検出した電流をマイクロコンピュータが読込み吸気風量を制御し、前記吹出し制御手段は、前記吹出しモータの吹出し電流値検出手段より検出した電流をマイクロコンピュータが読込み吹出し風量を制御することを特徴とする空気調和機。
【請求項２】
室内の空気を吸込むための吸込みユニットと、ダクトにより室内機と屋外の四方向に分岐する四方向分岐ユニットと、風路を切換える切換ダンパと、四方向分岐ユニットの分岐制御手段により風路を切換えることを特徴とする請求項１記載の空気調和機。
【請求項３】
四方向分岐ユニットの分岐制御手段は、前記四方向分岐ユニットに設けたセンサーにより居住空間内の空気のよごれ具合により風路を切換えることを特徴とする請求項１記載の空気調和機。
【請求項４】
四方向分岐ユニットの分岐制御手段は、室内の二酸化炭素濃度により風路を切換えることを特徴とする請求項１記載の空気調和機。
【請求項５】
四方向分岐ユニットの分岐制御手段は、室内の二酸化炭素濃度により風路を切換え、吸込みユニットと吹出しユニットの風量を増加することを特徴とする請求項１記載の空気調和機。
【請求項６】
四方向分岐ユニットの分岐制御手段は、室内の一酸化炭素濃度により風路を切換えることを特徴とする請求項１記載の空気調和機。
【請求項７】
四方向分岐ユニットの分岐制御手段は、室内の一酸化炭素濃度により風路を切換え、吸込みユニットと吹出しユニットの風量を増加することを特徴とする請求項１記載の空気調和機。
【請求項８】
四方向分岐ユニットの分岐制御手段は、室内の粉塵量により風路を切換えることを特徴とする請求項１記載の空気調和機。
【請求項９】
四方向分岐ユニットの分岐制御手段は、室内の粉塵量により風路を切換え、吸込みユニットと吹出しユニットの風量を増加することを特徴とする請求項１記載の空気調和機。
【請求項１０】
四方向分岐ユニットの分岐制御手段は、室内のホルムアルデヒドにより風路を切換えることを特徴とする請求項１記載の空気調和機。
【請求項１１】
四方向分岐ユニットの分岐制御手段は、室内のホルムアルデヒドにより風路を切換え、吸込みユニットと吹出しユニットの風量を増加することを特徴とする請求項１記載の空気調和機。
【請求項１２】
四方向分岐ユニットの分岐制御手段は、室内のアンモニアにより風路を切換えることを特徴とする請求項１記載の空気調和機。
【請求項１３】
四方向分岐ユニットの分岐制御手段は、室内のアンモニアにより風路を切換え、吸込みユニットと吹出しユニットの風量を増加することを特徴とする請求項１記載の空気調和機。
【請求項１４】
吸込みユニットに、室内の人を確認する人感制御手段を設け、人の有無により吸込みユニットと吹出しユニットの風量を変化することができることを特徴とする請求項１記載の空気調和機。
【請求項１５】
前記人感制御手段は、在室人数により風路を切換え、吸込みユニットと吹出しユニットの風量を変化することができることを特徴とする請求項１記載の空気調和機。
【請求項１６】
各室内の吸気制御手段と室内機制御手段を接続し、前記室内機制御手段は室外機に接続され、各室内の冷暖房能力により室外機内部に設けたコンプレッサーの周波数を制御することを特徴とする請求項１記載の空気調和機。
【発明の詳細な説明】
【技術分野】
【０００１】
本発明は、空気調和機の室内機内部に使用している吸気ファンを室内機本体から無くし、吸込みユニットに吸気ファンを設け、吹出しユニットに吹出ファンを設けた冷暖房ユニットに関する。
【背景技術】
【０００２】
従来、この種の空気調和機は、室内機本体に送風用の吸気ファンを設けたものが知られている（例えば、特許文献１参照）。
【０００３】
以下、その空気調和機について図１９および図２０を参照しながら説明する。
【０００４】
図１９に示すように、室外機１０１は冷媒配管１０２により室内機１０３に接続され、室内機１０３内部には熱交換器１０４と送風室内ファン１０５を備え、送風室内ファン１０５から熱交換器１０４を通った冷風または暖風は、送風ダクト１０６へと送られる。室内からの空気は吸込みユニット１０７から吸込まれることになる。また、吹出しユニット１０８は、室内機１０３からの空気を吹出し、吸込みユニット１０７から吸込みダクト１０９を介して室内機１０３に送られ、冷風あるいは暖風は循環される。リモコンａ１１０は、室内１１１に設置し、リモコンａ１１０の設定温度となるように室内制御手段ａ１１２が制御している。
【０００５】
また、図２０に示すように、送風ダクト１０６や吸込みダクト１０９を分岐して複数の室内を同時に冷房または暖房することが多く、各室内１１１に対して吸込みユニット１０７と吹出しユニット１０８が一対以上備えられている空気調和機が知られている。
【特許文献１】特開２００３−２８７２７１号公報
【発明の開示】
【発明が解決しようとする課題】
【０００６】
このような従来の空気調和機では、送風ダクトや吸込みダクトを分岐し、複数の室内を同時に冷暖房することがあり、ダクト長やダクトの曲がりそして分岐数により、各吸込みユニットの吸気風量と、吹出しユニットの吹出し風量が異なるため、風量過多による室内空気の流出または風量不足による室外空気の流入による空調ロスの発生や、風量不足により設定温度に達するまでに時間を要するという課題があり、室内の吸気風量と吹出し風量を同風量にして最適な風量を供給することが要求されている。
【０００７】
本発明は、このような従来の課題を解決するものであり、室内の吸気風量と吸出し風量を同風量に調整し各室内に最適な風量を供給し快適環境を創り出すことができる空気調和機を提供することを目的としている。
【０００８】
また、従来の空気調和機では、室内の空気が汚れているとき室内の温度の変動を抑え早急に空気を入れ替えることを要求されている。
【０００９】
本発明は、このような従来の課題を解決するものであり、室外の新鮮な空気を室内に取り込み室内の温度の変動を抑え室内の汚れた空気を早急に屋外に排気することができる空気調和機を提供することを目的としている。
【００１０】
また、従来の空気調和機では、室内の温度の変動を抑えセンサーで検出した室内の汚れた空気を早急に排気することが要求されている。
【００１１】
本発明は、このような従来の課題を解決するものであり、センサーが室内の汚れを検出すると室外の新鮮な空気を室内に取り込み室内の温度の変動を抑え早急に屋外に排気することができる空気調和機を提供することを目的としている。
【００１２】
また、従来の空気調和機では、室内の二酸化炭素濃度が上昇しても通常動作するだけであり、室内の温度の変動を抑え二酸化炭素濃度を低減することが要求されている。
【００１３】
本発明は、このような従来の課題を解決するものであり、二酸化炭素濃度が上昇すると、室外の新鮮な空気を室内に取り込み室内の温度の変動を抑え室内の空気を屋外に排気し二酸化炭素濃度を低減することができる空気調和機を提供することを目的としている。
【００１４】
また、従来の空気調和機では、室内の二酸化炭素濃度が上昇しても通常動作するだけであり、室内の温度の変動を抑え二酸化炭素濃度を急速に低減することが要求されている。
【００１５】
本発明は、このような従来の課題を解決するものであり、二酸化炭素濃度が上昇すると、室外の新鮮な空気を室内に取り込み室内の温度の変動を抑え室内の空気を屋外に排気すると共に吸込みユニットの吸気風量と吹出しユニットの吹出し風量を増加し、屋外に排気する排気風量を増加することにより二酸化炭素濃度を急速に低減できる空気調和機を提供することを目的としている。
【００１６】
また、従来の空気調和機では、室内の一酸化炭素濃度が上昇しても通常動作するだけであり、室内の温度の変動を抑え一酸化炭素濃度を低減することが要求されている。
【００１７】
本発明は、このような従来の課題を解決するものであり、一酸化炭素濃度が上昇すると、室外の新鮮な空気を室内に取り込み室内の温度の変動を抑え室内の空気を屋外に排気し一酸化炭素濃度を低減することができる空気調和機を提供することを目的としている。
【００１８】
また、従来の空気調和機では、室内の一酸化炭素濃度が上昇しても通常動作するだけであり、室内の温度の変動を抑え一酸化炭素濃度を急速に低減することが要求されている。
【００１９】
本発明は、このような従来の課題を解決するものであり、一酸化炭素濃度が上昇すると、室外の新鮮な空気を室内に取り込み室内の温度の変動を抑え室内の空気を屋外に排気すると共に吸込みユニットの吸気風量と吹出しユニットの吹出し風量を増加し、屋外に排気する排気風量を増加することにより一酸化炭素濃度を急速に低減できる空気調和機を提供することを目的としている。
【００２０】
また、従来の空気調和機では、室内の粉塵量が上昇しても通常動作するだけであり、室内の温度の変動を抑え粉塵を低減することが要求されている。
【００２１】
本発明は、このような従来の課題を解決するものであり、粉塵が上昇すると、室外の新鮮な空気を室内に取り込み室内の温度の変動を抑え室内の空気を屋外に排気し粉塵量を低減することができる空気調和機を提供することを目的としている。
【００２２】
また、従来の空気調和機では、室内の粉塵が上昇しても通常動作するだけであり、室内の温度の変動を抑え粉塵を急速に低減することが要求されている。
【００２３】
本発明は、このような従来の課題を解決するものであり、粉塵が上昇すると、室外の新鮮な空気を室内に取り込み室内の温度の変動を抑え室内の空気を屋外に排気すると共に吸込みユニットの吸気風量と吹出しユニットの吹出し風量を増加し、屋外に排気する排気風量を増加することにより粉塵量を急速に低減できる空気調和機を提供することを目的としている。
【００２４】
また、従来の空気調和機では、室内のホルムアルデヒド濃度が上昇しても通常動作するだけであり、室内の温度の変動を抑えホルムアルデヒド濃度を低減することが要求されている。
【００２５】
本発明は、このような従来の課題を解決するものであり、ホルムアルデヒド濃度が上昇すると、室外の新鮮な空気を室内に取り込み室内の温度の変動を抑え室内の空気を屋外に排気しホルムアルデヒド濃度を低減することができる空気調和機を提供することを目的としている。
【００２６】
また、従来の空気調和機では、室内のホルムアルデヒド濃度が上昇しても通常動作するだけであり、室内の温度の変動を抑えホルムアルデヒド濃度を急速に低減することが要求されている。
【００２７】
本発明は、このような従来の課題を解決するものであり、ホルムアルデヒド濃度が上昇すると、室外の新鮮な空気を室内に取り込み室内の温度の変動を抑え室内の空気を屋外に排気すると共に吸込みユニットの吸気風量と吹出しユニットの吹出し風量を増加し、屋外に排気する排気風量を増加することによりホルムアルデヒド濃度を急速に低減できる空気調和機を提供することを目的としている。
【００２８】
また、従来の空気調和機では、室内のアンモニア濃度が上昇しても通常動作するだけであり、室内の温度の変動を抑えアンモニア濃度を低減することが要求されている。
【００２９】
本発明は、このような従来の課題を解決するものであり、アンモニア濃度が上昇すると、室外の新鮮な空気を室内に取り込み室内の温度の変動を抑え室内の空気を屋外に排気しアンモニア濃度を低減することができる空気調和機を提供することを目的としている。
【００３０】
また、従来の空気調和機では、室内のアンモニア濃度が上昇しても通常動作するだけであり、室内の温度の変動を抑えアンモニア濃度を急速に低減することが要求されている。
【００３１】
本発明は、このような従来の課題を解決するものであり、アンモニア濃度が上昇すると、室外の新鮮な空気を室内に取り込み室内の温度の変動を抑え室内の空気を屋外に排気すると共に吸込みユニットの吸気風量と吹出しユニットの吹出し風量を増加し、屋外に排気する排気風量を増加することによりアンモニア濃度を急速に低減できる空気調和機を提供することを目的としている。
【００３２】
また、従来の空気調和機では、室内に在室している人を確認し、在室している人数に応じた吸気と吹出し風量を出し快適環境を創り出すことが要求されている。
【００３３】
本発明は、このような従来の課題を解決するものであり、在室人数により、吸込みユニットと吹出しユニットからの吸気と吹出し風量を制御することができる空気調和機を提供することを目的としている。
【００３４】
また、従来の空気調和機では、室内に在室している人を確認し、室内の温度の変動を抑えタバコの臭いやＣＯ↓２などの嫌な臭いを排出することが要求されている。
【００３５】
本発明は、このような従来の課題を解決するものであり、在室を検出すると、室外の新鮮な空気を室内に取り込み室内の温度の変動を抑え室内の嫌な臭いを屋外に排気することができる空気調和機を提供することを目的としている。
【００３６】
また、従来の空気調和機では、１個のリモコンで１本の送風ダクトや吸込みダクトを分岐し、個々の室内を空調する空気調和機では、リモコンの設置してある室内がリモコンの設定温度になると、室外機のコンプレッサー能力を低下するが、細かくコンプレッサー能力を制御し省エネすることが要求されている。
【００３７】
本発明は、このような従来の課題を解決するものであり、各室内の室内温度が各室内に設けたリモコンの設定温度になると、各室内の温度状況により室外機のコンプレッサー能力を細かく制御し消費電力を削減できる空気調和機を提供することを目的としている。
【課題を解決するための手段】
【００３８】
本発明の空気調和機は上記目的を達成するために、室外機と、前記室外機より冷媒配管により接続されている熱交換器を備えた室内機と、前記室内機とダクトで接続され室内空気を吸気する吸気モータと吸気ファンを備えた吸込みユニットと、吸込みユニットに吸気ファンと吸気モータを制御する吸気制御手段と、前記室内機とダクトで接続され室内空気を吹出す吹出しモータと吹出しファンを備えた吹出しユニットと、前記吹出しユニットに吹出しファンと吹出しモータを制御する吹出制御手段を備え、前記吸気制御手段は、前記吸気モータの電流値検出手段より検出した電流をマイクロコンピュータが読込み吸気風量を制御し、前記吹出し制御手段は、前記吹出しモータの吹出し電流値検出手段より検出した電流をマイクロコンピュータが読込み吹出し風量を制御するものである。
【００３９】
この手段により室内の吸気風量と吸出し風量を同風量に調整し各室内に最適な風量を供給することができる空気調和機が得られる。
【００４０】
また、本発明の空気調和機は上記目的を達成するために、室内の空気を吸込むための吸込みユニットと、ダクトにより室内機と屋外の四方向に分岐する四方向分岐ユニットと、風路を切換える切換ダンパと、四方向分岐ユニットの分岐制御手段により風路を切換えるものである。
【００４１】
この手段により室外の新鮮な空気を室内に取り込み室内の温度の変動を抑え室内の汚れた空気を屋外に排出することができる空気調和機が得られる。
【００４２】
また、本発明の空気調和機は上記目的を達成するために、四方向分岐ユニットにセンサーを設けるものである。
【００４３】
この手段により、センサーの検出値で、四方向分岐ユニットを制御し、室外の新鮮な空気を室内に取り込み室内の温度の変動を抑え室内の汚れた空気を屋外に排出することができる空気調和機が得られる。
【００４４】
また、本発明の空気調和機は上記目的を達成するために、四方向分岐ユニットにＣＯ↓２センサーを設けるものである。
【００４５】
この手段により、ＣＯ↓２センサーの検出値により、四方向分岐ユニットを制御し、室外の新鮮な空気を室内に取り込み室内の温度の変動を抑え室内の空気を屋外に排出し、ＣＯ↓２濃度を低減することができる空気調和機が得られる。
【００４６】
また、本発明の空気調和機は上記目的を達成するために、四方向分岐ユニットにＣＯ↓２センサーを設け、ＣＯ↓２センサーの値を読込む分岐制御手段と吸気制御手段と吹出し制御手段を電線により接続するものである。
【００４７】
この手段により、ＣＯ↓２センサーの検出値により、分岐ユニットを制御し、室外の新鮮な空気を室内に取り込み室内の温度の変動を抑え室内の空気を屋外に排出し、さらに、吸込みユニットと吹出しユニットの吸気と吹出し風量を増加し、ＣＯ↓２濃度を急速に低減することができる空気調和機が得られる。
【００４８】
また、本発明の空気調和機は上記目的を達成するために、四方向分岐ユニットにＣＯセンサーを設けるものである。
【００４９】
この手段により、ＣＯセンサーの検出値により、分岐ユニットを制御し、室外の新鮮な空気を室内に取り込み室内の温度の変動を抑え室内の空気を屋外に排出し、ＣＯ濃度を低減することができる空気調和機が得られる。
【００５０】
また、本発明の空気調和機は上記目的を達成するために、四方向分岐ユニットにＣＯセンサーを設け、ＣＯセンサーの値を読込む分岐制御手段と吸気制御手段と吹出し制御手段を電線により接続するものである。
【００５１】
この手段により、ＣＯセンサーの検出値により、四方向分岐ユニットを制御し、室外の新鮮な空気を室内に取り込み室内の温度の変動を抑え室内の空気を屋外に排出し、さらに、吸込みユニットと吹出しユニットの吸気と吹出し風量を増加し、ＣＯ濃度を急速に低減することができる空気調和機が得られる。
【００５２】
また、本発明の空気調和機は上記目的を達成するために、四方向分岐ユニットに粉塵センサーを設けるものである。
【００５３】
この手段により、粉塵センサーの検出値により、四方向分岐ユニットを制御し、室外の新鮮な空気を室内に取り込み室内の温度の変動を抑え室内の空気を屋外に排出し、粉塵量を低減することができる空気調和機が得られる。
【００５４】
また、本発明の空気調和機は上記目的を達成するために、四方向分岐ユニットに粉塵センサーを設け、粉塵センサーの値を読込む分岐制御手段と吸気制御手段と吹出し制御手段を電線により接続するものである。
【００５５】
この手段により、粉塵センサーの検出値により、四方向分岐ユニットを制御し、室外の新鮮な空気を室内に取り込み室内の温度の変動を抑え室内の空気を屋外に排出し、さらに、吸込みユニットと吹出しユニットの吸気と吹出し風量を増加し、粉塵量を急速に低減することができる空気調和機が得られる。
【００５６】
また、本発明の空気調和機は上記目的を達成するために、四方向分岐ユニットにＶＯＣセンサーを設けるものである。
【００５７】
この手段により、ＶＯＣセンサーの検出値により、四方向分岐ユニットを制御し、室外の新鮮な空気を室内に取り込み室内の温度の変動を抑え室内の空気を屋外に排出し、ＶＯＣ濃度を低減することができる空気調和機が得られる。
【００５８】
また、本発明の空気調和機は上記目的を達成するために、四方向分岐ユニットにＶＯＣセンサーを設け、ＶＯＣセンサーの値を読込む分岐制御手段と吸気制御手段と吹出し制御手段を電線により接続するものである。
【００５９】
この手段により、ＶＯＣセンサーの検出値により、四方向分岐ユニットを制御し、室外の新鮮な空気を室内に取り込み室内の温度の変動を抑え室内の空気を屋外に排出し、さらに、吸込みユニットと吹出しユニットの吸気と吹出し風量を増加し、ＶＯＣ濃度を急速に低減することができる空気調和機が得られる。
【００６０】
また、本発明の空気調和機は上記目的を達成するために、四方向分岐ユニットにアンモニアセンサーを設けるものである。
【００６１】
この手段により、アンモニアセンサーの検出値により、四方向分岐ユニットを制御し、室外の新鮮な空気を室内に取り込み室内の温度の変動を抑え室内の空気を屋外に排出し、アンモニア濃度を低減することができる空気調和機が得られる。
【００６２】
また、本発明の空気調和機は上記目的を達成するために、四方向分岐ユニットにアンモニアセンサーを設け、アンモニアセンサーの値を読込む分岐制御手段と吸気制御手段と吹出し制御手段を電線により接続するものである。
【００６３】
この手段により、アンモニアセンサーの検出値により、四方向分岐ユニットを制御し、室外の新鮮な空気を室内に取り込み室内の温度の変動を抑え室内の空気を屋外に排出し、さらに、吸込みユニットと吹出しユニットの吸気と吹出し風量を増加し、アンモニア濃度を急速に低減することができる空気調和機が得られる。
【００６４】
また、本発明の空気調和機は上記目的を達成するために、吸込みユニットに人感センサーを設け、人感センサーの値を読込む人感制御手段と吸込み制御手段および吹出し制御手段を電線により接続するものである。
【００６５】
この手段により、室内の在室人数により吸込みユニットと吹出しユニットの吸気と吹出し風量を制御することができる空気調和機が得られる。
【００６６】
また、本発明の空気調和機は上記目的を達成するために、吸込みユニットに人感センサーを設け、人感センサーの値を人感制御手段と分岐制御手段と吸気制御手段および吹出し制御手段を電線により接続するものである。
【００６７】
この手段により、室内に在室している人を確認し、室外の新鮮な空気を室内に取り込み室内の温度の変動を抑え室内の汚れた空気を四方向分岐ユニットにより屋外に排出し吸込みユニットと吹出しユニットの吸気と吹出し風量を制御することができる空気調和機が得られる。
【００６８】
また、本発明の空気調和機は上記目的を達成するために、各室内に設けた吸込みユニットの吸気制御手段は、室内機の室内制御手段へ電線により接続されるものである。
【００６９】
この手段により、各室内の冷暖房能力に応じた室外機のコンプレッサー周波数を室内外接続線で室外機にデータ送信することにより必要上にコンプレッサー周波数を上げることなく省エネ効果のある空気調和機が得られる。
【発明の効果】
【００７０】
本発明によれば室内機に送風用のファンを設けることなく、また、ダクト長やダクトの曲がりそして分岐数を考慮することなく、吸込みユニットの吸気風量と吹出しファンの吸出し風量を同風量に調整することにより、各室内に必要風量だけ供給し空調ロスの発生を減らし、短時間で設定温度に達する最適な風量を供給することができる空気調和機を提供できる。
【００７１】
また、本発明によれば吸込みユニットに四方向分岐ユニットを設け、室外の新鮮な空気を室内に取り込み室内の温度の変動を抑え室内の汚れた空気を屋外に排出することができる効果のある空気調和機を提供できる。
【００７２】
また、本発明によればセンサーを四方向分岐ユニットに設け、四方向分岐ユニットの風路を切換えることにより、室外の新鮮な空気を室内に取り込み室内の温度の変動を抑え室内の汚れた空気を屋外に排気することができる効果のある空気調和機を提供できる。
【００７３】
また、本発明によれば二酸化炭素濃度により四方向分岐ユニットの風路を切換え、室外の新鮮な空気を室内に取り込み室内の温度の変動を抑え室内の二酸化炭素を屋外に排気し、二酸化炭素濃度を低減することができる効果のある空気調和機を提供できる。
【００７４】
また、本発明によれば二酸化炭素濃度により四方向分岐ユニットの風路を切換え、室外の新鮮な空気を室内に取り込み室内の温度の変動を抑え室内の二酸化炭素を屋外に排気し、屋外に排気するときは、吸気ファンと吹出しファンの吸気と吹出し風量を増加して二酸化炭素濃度を急速に低減することができる効果のある空気調和機を提供できる。
【００７５】
また、本発明によれば一酸化炭素濃度により四方向分岐ユニットの風路を切換え、室外の新鮮な空気を室内に取り込み室内の温度の変動を抑え室内の一酸化炭素を屋外に排気し、一酸化炭素濃度を低減することができる効果のある空気調和機を提供できる。
【００７６】
また、本発明によれば一酸化炭素濃度により四方向分岐ユニットの風路を切換え、室外の新鮮な空気を室内に取り込み室内の温度の変動を抑え室内の一酸化炭素を屋外に排気し、屋外に排気するときは、吸気ファンと吹出しファンの吸気と吹出し風量を増加して一酸化炭素濃度を急速に低減することができる効果のある空気調和機を提供できる。
【００７７】
また、本発明によれば粉塵濃度により四方向分岐ユニットの風路を切換え、室外の新鮮な空気を室内に取り込み室内の温度の変動を抑え室内の粉塵を屋外に排気し、粉塵濃度を低減することができる効果のある空気調和機を提供できる。
【００７８】
また、本発明によれば粉塵濃度により四方向分岐ユニットの風路を切換え、室外の新鮮な空気を室内に取り込み室内の温度の変動を抑え室内の粉塵を屋外に排気し、屋外に排気するときは、吸気ファンと吹出しファンの吸気と吹出し風量を増加して粉塵濃度を急速に低減することができる効果のある空気調和機を提供できる。
【００７９】
また、本発明によればホルムアルデヒド濃度により四方向分岐ユニットの風路を切換え、室外の新鮮な空気を室内に取り込み室内の温度の変動を抑え室内のホルムアルデヒドを屋外に排気し、ホルムアルデヒド濃度を低減することができる効果のある空気調和機を提供できる。
【００８０】
また、本発明によればホルムアルデヒド濃度により四方向分岐ユニットの風路を切換え、室外の新鮮な空気を室内に取り込み室内の温度の変動を抑え室内のホルムアルデヒドを屋外に排気し、屋外に排気するときは、吸込みファンと吹出しファンの吸気と吹出し風量を増加してホルムアルデヒド濃度を急速に低減することができる効果のある空気調和機を提供できる。
【００８１】
また、本発明によればアンモニア濃度により四方向分岐ユニットの風路を切換え、室外の新鮮な空気を室内に取り込み室内の温度の変動を抑え室内のアンモニアを屋外に排気し、アンモニア濃度を低減することができる効果のある空気調和機を提供できる。
【００８２】
また、本発明によればアンモニア濃度により四方向分岐ユニットの風路を切換え、室外の新鮮な空気を室内に取り込み室内の温度の変動を抑え室内のアンモニアを屋外に排気し、屋外に排気するときは、さらに吸気ファンと吹出しファンの吸気と吹出し風量を増加してアンモニア濃度を急速に低減することができる効果のある空気調和機を提供できる。
【００８３】
また、本発明によれば吸込みユニットに設けた人感制御手段により、室内に人を確認すると吸込みファンと吹出しファンの吸気と吹出し風量を増加し、快適環境を創り出すことができる空気調和機を提供できる。
【００８４】
また、本発明によれば吸込みユニットに設けた人感制御手段により、室内に人を確認すると四方向分岐ユニットにより、室外の新鮮な空気を室内に取り込み室内の温度の変動を抑え室内のタバコの臭いやＣＯ↓２を屋外に排出することができる効果のある空気調和機を提出できる。
【００８５】
また、本発明によれば各室内に設けた吸込みユニットからの冷暖房能力データを室内制御手段が加減し、その情報を室外機にコンプレッサー周波数の情報として転送し、室外機が必要以上の電力消費をしないよう省エネ効果のある空気調和機を提供できる。
【発明を実施するための最良の形態】
【００８６】
本発明の請求項１記載の発明は、室外機と、前記室外機より冷媒配管により接続されている熱交換器を備えた室内機と、前記室内機とダクトで接続され室内空気を吸気する吸気モータと吸気ファンを備えた吸込みユニットと、吸込みユニットの吸気ファンと吸気モータを制御する吸気制御手段と、前記室内機とダクトで接続され室内空気を吹出す吹出しモータと吹出しファンを備えた吹出しユニットと、前記吹出しユニットの吹出しファンと吹出しモータを制御する吹出制御手段を備え、前記吸気制御手段は、前記吸気モータの電流値検出手段より検出した電流をマイクロコンピュータが読込み吸気風量を制御し、前記吹出し制御手段は、前記吹出しモータの吹出し電流値検出手段より検出した電流をマイクロコンピュータが読込み吹出し風量を制御することにより、吸気風量と吹出し風量を同風量に調整することで各室内に安定した風量を供給することができるという作用を有する。
【００８７】
また、室内の空気を吸込むための吸込みユニットと、ダクトにより室内機と屋外の四方向に分岐する四方向分岐ユニットと、風路を切換える切換ダンパと、四方向分岐ユニットの分岐制御手段により風路を切換えることにより、室外の新鮮な空気を室内に取り込み室内の温度の変動を抑え室内の汚れた空気を屋外に排出することができるという作用を有する。
【００８８】
また、四方向分岐ユニットの分岐制御手段はセンサーより自動的に風路を切換え、室外の新鮮な空気を室内に取り込み室内の温度の変動を抑え室内の汚れた空気を屋外に排出することができるという作用を有する。
【００８９】
また、四方向分岐ユニットの分岐制御手段は、室内の二酸化炭素濃度により、四方向分岐ユニットの風路を自動的に切換え、室外の新鮮な空気を室内に取り込み室内の温度の変動を抑え室内の汚れた空気を屋外に排出することができるという作用を有する。
【００９０】
また、四方向分岐ユニットの分岐制御手段は、室内の二酸化炭素濃度により、四方向分岐ユニットの風路を自動的に切換え、吸込みユニットと吹出しユニットの吸気と吹出し風量を増加することにより、室外の新鮮な空気を室内に取り込み室内の温度の変動を抑え室内の空気を入れ替える時間を短縮ことができるという作用を有する。
【００９１】
また、四方向分岐ユニットの分岐制御手段は、室内の一酸化炭素濃度により、四方向分岐ユニットの風路を自動的に切換え室外の新鮮な空気を室内に取り込み室内の温度の変動を抑え室内の空気を入れ替えることができるという作用を有する。
【００９２】
また、四方向分岐ユニットの分岐制御手段は、室内の一酸化炭素濃度により、四方向分岐ユニットの風路を自動的に切換え、吸込みユニットと吹出しユニットの吸気と吹出し風量を増加することにより、室外の新鮮な空気を室内に取り込み室内の温度の変動を抑え室内の空気を入れ替える時間を短縮ことができるという作用を有する。
【００９３】
また、四方向分岐ユニットの分岐制御手段は、室内の粉塵量により、四方向分岐ユニットの風路を自動的に切換え室外の新鮮な空気を室内に取り込み室内の温度の変動を抑え室内の空気を入れ替えることができるという作用を有する。
【００９４】
また、四方向分岐ユニットの分岐制御手段は、室内の粉塵量により、四方向分岐ユニットの風路を自動的に切換え、吸込みユニットと吹出しユニットの吸気と吸込み風量を増加することにより、室外の新鮮な空気を室内に取り込み室内の温度の変動を抑え室内の空気を入れ替える時間を短縮ことができるという作用を有する。
【００９５】
また、四方向分岐ユニットの分岐制御手段は、室内のホルムアルデヒド濃度により、四方向分岐ユニットの風路を自動的に切換え室外の新鮮な空気を室内に取り込み室内の温度の変動を抑え室内の空気を入れ替えることができるという作用を有する。
【００９６】
また、四方向分岐ユニットの分岐制御手段は、室内のホルムアルデヒド濃度により、分岐ユニットの風路を自動的に切換え、吸込みユニットと吹出しユニットの吸気と吸込み風量を増加することにより、室外の新鮮な空気を室内に取り込み室内の温度の変動を抑え室内の空気を入れ替える時間を短縮ことができるという作用を有する。
【００９７】
また、四方向分岐ユニットの分岐制御手段は、室内のアンモニア濃度により、四方向分岐ユニットの風路を自動的に切換え室外の新鮮な空気を室内に取り込み室内の温度の変動を抑え室内の空気を入れ替えることができるという作用を有する。
【００９８】
また、四方向分岐ユニットの分岐制御手段は、室内のアンモニア濃度により、四方向分岐ユニットの風路を自動的に切換え、吸込みユニットと吹出しユニットの吸気と吸込み風量を増加することにより、室外の新鮮な空気を室内に取り込み室内の温度の変動を抑え室内の空気を入れ替える時間を短縮ことができるという作用を有する。
【００９９】
また、吸込みユニットに、室内の人を確認する人感制御手段を設け、人の有無により吸込みユニットと吹出しユニットの吸気と吸込み風量を変化するものであり室内の温度変化を短時間で安定することができるという作用を有する。
【０１００】
また、前記人感制御ユニットは、在室人数により四方向分岐ユニットの風路を自動的に変えることにより、吸込みユニットと吹出しユニットの吸気と吸込み風量を変化するものであり、室外の新鮮な空気を室内に取り込み室内の温度の変動を抑え短時間で室内を換気することができるという作用を有する。
【０１０１】
また、各室内の吸気制御手段と吹出し制御手段と室内機制御手段を接続し、前記室内機制御手段は室外機に接続され、各室内の冷暖房能力により室外機内部に設けたコンプレッサーの周波数を制御するものであり、必要以上にコンプレッサーを回転させることなく省エネすることができるという作用を有する。
【０１０２】
以下、本発明の実施の形態について図面を参照しながら説明する。
【０１０３】
（実施の形態１）
従来と同一部分は同一番号を符し、詳細な説明は省略する。
【０１０４】
図１、図２、図３に示すように、室外機１０１は冷媒配管１０２により室内機１０３に接続し、室内機１０３内部には熱交換器１０４を備え、吸込みユニット１０７は、吸込みダクト１０９を介し、室内機１０３に接続する。吸込みユニット１０７の内部には、吸気モータ１により駆動される吸気ファン２と吸込み温度を検出するサーミスタ３を備え、吸気モータ１は、吸気制御手段４内部のモータ駆動手段５と駆動電線６により接続し、駆動電線６の電流を検出するための電流検出手段７とモータ駆動手段５はマイコン８に接続する。吹出しユニット１０８は、送風ダクト１０６を介し室内機１０３に接続し、吹出しユニット１０８の内部には、吹出しモータ９により駆動される吹出しファン１０を備え、吹出しモータ９は、吹出し制御手段１１内部のモータ駆動手段ａ１２と駆動電線ａ１３により接続し、駆動電線ａ１３の電流を検出するための電流検出手段ａ１４とモータ駆動手段ａ１２はマイコンａ１５に接続する。吸込みユニット１０７のマイコンと吹出しユニット１０８のマイコンには、室内温度を設定するリモコン１６を接続し、室内１１１は吸込みユニットと吹出しユニット１０８とリモコン１６を備えた構成となる。
【０１０５】
上記構成において、リモコン１６で設定された温度にて運転開始すると、室内機１０３に備えられた熱交換器１０４を通過した冷風または暖風は、送風ダクト１０６を通り吹出しユニット１０８より室内１１１に送風され、さらに室内１１１に設けた吸込みユニット１０７内の吸気ファン２により、吸込みダクト１０９を介し、室内機１０３に送られ各室内１１１の冷房または暖房を行うこととなる。吸込みユニット１０７に設けたサーミスタ３は室内からの吸込み温度を検出し、検出温度とリモコンの設定温度との比較を行い、吸込みユニット１０７と吹出しユニット１０８の必要風量を算出する。冷房の場合、リモコン１６の設定温度が高いときは、必要風量を増加し、リモコン１６の設定温度が低いときは、必要風量を減少する。算出された必要風量に応じて吸込みユニット１０７の吸気モータ１の制御を行い、吸気モータ１の回転数はマイコン８にあらかじめ設定されており、マイコン８内部のＲＯＭ（図示せず）には、吸気モータ１の回転数に対する理想的な電流値データ（図示せず）が保持されている。吸込みユニット１０７に接続した吸込みダクト１０９のダクト長やダクトの曲がりそして分岐数による空気抵抗により影響を受けた回転数は、電流検出手段７で検出した電流値と比較し、差がある場合には、マイコン８は、電流値データ（図示せず）に近づくように、吸気モータ１の回転数を上昇または下降し吸気風量の一定化を行う。
【０１０６】
同様に、吹出しモータ９の回転数は、マイコンａ１５に設定されておりマイコンａ１５内部のＲＯＭ（図示せず）には、吹出しモータ９の回転数に対する理想的な電流値データ（図示せず）が保持されている。吹出しユニット１０８に接続した送風ダクト１０６のダクト長やダクトの曲がりそして分岐数による空気抵抗により影響を受けた回転数は、電流検出手段ａ１４で検出した電流値と比較し、差がある場合には、マイコンａ１５は、電流値データ（図示せず）に近づくように、吹出しモータ９の回転数を上昇または下降し吸気風量の一定化を行う。
【０１０７】
吸込みユニット１０７の吸込み風量と吹出しユニット１０８の吹出し風量は、接続したダクト長やダクトの曲がりそして分岐数による空気抵抗を考慮することなく同風量に制御し、冷房または暖房などの空気調和された空気が各室内に安定に、均一に供給することとなる。
【０１０８】
なお、吸気制御手段４としては、モータ駆動や他のユニットと通信するためのソフトがプログラムされたマイコンやモータ駆動の半導体やモータに流れている電流を検出する部品を搭載した基板などがあり、マイコンは、モータを駆動するためのＰＷＭ信号を与えるソフトがプログラムされているものである。
【０１０９】
なお、モータ駆動手段５としては、モータを駆動すれば良く、例えばトランジスタやＦＥＴなどの駆動素子などがある。
【０１１０】
なお、電流検出手段７としては、モータ電流を検出できれば良く、カーレントトランスやシャント抵抗による電流検出などがある。
【０１１１】
なお、本実施例では、室内に吸込みユニット１０７と吹出しユニット１０８を各１個ずつ設置した説明を行ったが室内に複数のユニットを取り付けることで、短時間で室内温度をリモコンの設定温度にすることが可能である。
【０１１２】
（実施の形態２）
従来例、実施の形態１同一部分は同一番号を符し、詳細な説明は省略する。
【０１１３】
図４に示すように、吸込みユニット１０７と四方向分岐ユニット１７を分岐ダクト１８で接続し、四方向分岐ユニット１７は室内の空気を循環するため循環ダクト１９で室内機１０３と接続し、さらに、四方向分岐ユニット１７は室内の空気を屋外に排気するための屋外排気ダクト２０と屋外の空気を吸込むための屋外吸込みダクト２１と室内の空気を循環するための循環ダクト１９を接続し循環ダクト１９は室内機１０３に接続する。風路の切換えは分岐制御手段２２によって制御され、四方向分岐ユニット１７は、風路を切換えるためのダンパー板２３と分岐制御手段２２を備え、そのダンパー板２３と分岐制御手段２２はケースで覆われている。また、分岐制御手段２２は、風路を切換えるためのダンパー板２３を制御するものであり、ダンパー板２３を動かすためのダンパーモータやステッピングモータやソレノイドとそれを駆動する半導体とマイコンからなる。
【０１１４】
上記構成により、室内の空気が汚れている場合は、四方向分岐ユニット１７のダンパー板２３を屋外側に風路を切換え、吸込みユニット１０７から吸込まれた室内の空気を屋外排気ダクト２０を介して屋外に排気し、同時に屋外の新鮮な空気を屋外吸込みダクト２１を介して吸込み室内機１０３の熱交換器１０４を通して冷房または暖房し、吹出しユニット１０８から室内に供給する。室内の空気が清浄な場合は、分岐制御手段２２によりダンパー板２３を動かし室内機１０３側に切換え、室内の空気を循環ダクト１９を介して室内機１０３に送風し、循環させるようにするものである。
【０１１５】
（実施の形態３）
従来例、実施の形態１、２と同一部分は同一番号を符し、詳細な説明は省略する。
【０１１６】
図５に示すように、吸込みユニット１０７と四方向分岐ユニット１７を分岐ダクト１８で接続し、四方向分岐ユニット１７内部の室内の空気取り入れ口近くにセンサー２４を設け、センサー２４は分岐制御手段２２に接続されている。
【０１１７】
上記構成により、室内の空気のよごれをセンサー２４が検出すると、分岐制御手段２２が四方向分岐ユニット１７内部のダンパー板２３を屋外側に風路を切換えよごれた室内の空気を急速に屋外に排出し、同時に屋外の新鮮な空気を屋外吸込みダクト２１を介して吸い込み、室内機１０３の熱交換器１０４により冷房または暖房し室内に供給することができる。
【０１１８】
なお、汚れを検出するセンサー２４は粉塵センサーなどがある。
【０１１９】
（実施の形態４）
従来例、実施の形態１乃至３と同一部分は同一番号を符し、詳細な説明は省略する。
【０１２０】
図６に示すように、吸込みユニット１０７と四方向分岐ユニット１７を分岐ダクト１８で接続し、四方向分岐ユニット１７の室内からの空気取り入れ口近くにＣＯ↓２センサー２５を設け、ＣＯ↓２センサー２５は分岐制御手段２２に接続されている。
【０１２１】
上記構成により、室内空気の二酸化炭素濃度はＣＯ↓２センサー２５が検出し、ＣＯ↓２濃度が１０００ｐｐｍ以上になると分岐制御手段２２が四方向分岐ユニット１７内部のダンパー板２３を屋外側に風路を切換え、ＣＯ↓２濃度が上昇した室内の空気を屋外に排出し、同時に屋外の新鮮な空気を屋外吸込みダクト２１を介して吸い込み、室内機１０３の熱交換器１０４により冷房または暖房し室内に供給する。さらにＣＯ↓２センサー２５が１０００ｐｐｍ以下を検出すると分岐制御手段２２が四方向分岐ユニット１７内部のダンパー板２３を室内機１０３側に風路を切換え、循環ダクト１９を介し室内機１０３に空気を送り込むことができ、ＣＯ↓２濃度を低減することができる。
【０１２２】
なお、風路切換えのＣＯ↓２濃度を一例としビル管理法の１０００ｐｐｍとしたが、さまざまな環境により異なった値とする。
【０１２３】
（実施の形態５）
従来例、実施の形態１乃至４と同一部分は同一番号を符し、詳細な説明は省略する。
【０１２４】
図７に示すように、吸込みユニット１０７と四方向分岐ユニット１７を分岐ダクト１８で接続し、四方向分岐ユニット１７の室内の空気取り入れ口近くにＣＯ↓２センサー２５を設け、ＣＯ↓２センサー２５は分岐制御手段２２に接続され分岐ユニット接続電線２６により吸込みユニット１０７の吸気制御手段４と吹出しユニット１０８の吹出し制御手段１１に接続されている。
【０１２５】
上記構成により、室内の空気の二酸化炭素濃度はＣＯ↓２センサー２５が検出し、ＣＯ↓２濃度が１０００ｐｐｍ以上になると分岐制御手段２２が四方向分岐ユニット１７内部のダンパー板２３を屋外側に風路を切換え、さらに分岐ユニット接続電線２６を介し吸気制御手段４に対して吸込みユニット１０７の吸気風量の増加と吹出し制御手段１１に対して吹出しユニット１０８の吹出し風量の増加をするように信号を送信し、ＣＯ↓２濃度が上昇した室内の空気を早急に屋外に排出し、同時に屋外の新鮮な空気を屋外吸込みダクト２１を介して吸い込み、室内機１０３の熱交換器１０４により冷房または暖房し室内に供給する。さらにＣＯ↓２センサー２５が１０００ｐｐｍ以下を検出すると、分岐制御手段２２が四方向分岐ユニット１７内部のダンパー板２３を室内機１０３に風路を切換え循環ダクト１９を介し室内機１０３に空気を送り込むとともに、分岐ユニット接続電線２６を介し吸気制御手段４に対して吸込みユニット１０７の吸気風量と吹出し制御手段１１に対して吹出しユニット１０８の吹出し風量を通常に戻すように信号を送信することにより、室内の二酸化炭素濃度を急速に低減できる。
【０１２６】
（実施の形態６）
従来例、実施の形態１乃至５と同一部分は同一番号を符し、詳細な説明は省略する。
【０１２７】
図８に示すように、吸込みユニット１０７と四方向分岐ユニット１７を分岐ダクト１８で接続し、四方向分岐ユニット１７の室内の空気取り入れ口近くにＣＯセンサー２７を設け、ＣＯセンサー２７は分岐制御手段２２に接続されている。
【０１２８】
上記構成により、室内の空気の一酸化炭素濃度はＣＯセンサー２７が検出し、ＣＯ濃度が１０ｐｐｍ以上になると分岐制御手段２２が四方向分岐ユニット１７内部のダンパー板２３を屋外側に風路を切換えＣＯ濃度が上昇した室内の空気を屋外に排出し、同時に屋外の新鮮な空気を吸い込み、室内機１０３の熱交換器１０４により冷房または暖房し室内に供給する。さらにＣＯセンサー２７が１０ｐｐｍ以下を検出すると分岐制御手２２が四方向分岐ユニット１７内部のダンパー板２３を室内機１０３に風路を切換え循環ダクト１９を介し室内機１０３に空気を送り込むことができ、ＣＯ濃度を低減することができる。
【０１２９】
なお、風路切換えのＣＯ濃度を一例としてビル管理法の１０ｐｐｍとしたが、さまざまな環境により異なった値とする。
【０１３０】
（実施の形態７）
従来例、実施の形態１乃至６と同一部分は同一番号を符し、詳細な説明は省略する。
【０１３１】
図９に示すように、吸込みユニット１０７と四方向分岐ユニット１７を分岐ダクト１８で接続し、四方向分岐ユニット１７の室内の空気取り入れ口近くにＣＯセンサー２７を設け、ＣＯセンサー２７は分岐制御手段２２に接続され分岐ユニット接続電線２６により吸込みユニット１０７の吸気制御手段４と吹出しユニット１０８の吹出し制御手段１１に接続されている。
【０１３２】
上記構成により、室内の空気の一酸化炭素濃度はＣＯセンサー２７が検出し、ＣＯ濃度が１０ｐｐｍ以上になると分岐制御手段２２が四方向分岐ユニット１７内部のダンパー板２３を屋外側に風路を切換え、さらに分岐ユニット接続電線２６を介し吸気制御手段４に対して吸込みユニット１０７の吸気風量と吹出し制御手段１１に対して吹出しユニット１０８の吹出し風量を増加するように信号を送信し、ＣＯ濃度が上昇した室内の空気を早急に屋外に排出し、同時に屋外の新鮮な空気を吸い込み、室内機１０３の熱交換器１０４により冷房または暖房し室内に供給する。さらにＣＯセンサー２７が１０ｐｐｍ以下を検出すると、分岐制御手段２２が四方向分岐ユニット１７内部のダンパー板２３を室内機１０３に風路を切換え循環ダクト１９を介して室内機１０３に空気を送り込むとともに、分岐ユニット接続電線２６を介し吸気制御手段４に対して吸込みユニット１０７の吸気風量と吹出し制御手段１１に対して吹出しユニット１０８の吹出し風量を通常に戻すように信号を送信することにより、室内の一酸化炭素濃度を急速に低減できる。
【０１３３】
（実施の形態８）
従来例、実施の形態１乃至７と同一部分は同一番号を符し、詳細な説明は省略する。
【０１３４】
図１０に示すように、吸込みユニット１０７と四方向分岐ユニット１７を分岐ダクト１８で接続し、四方向分岐ユニット１７の室内の空気取り入れ口近くに粉塵センサー２８を設け、粉塵センサー２８は分岐制御手段２２に接続されている。
【０１３５】
上記構成により、室内の空気の粉塵量は粉塵センサー２８が検出し、粉塵量が０．１５ｍｇ以上になると分岐制御手段２２が四方向分岐ユニット１７内部のダンパー板２３を屋外側に風路を切換え粉塵量が上昇した室内の空気を屋外に排出し、同時に屋外の新鮮な空気を吸い込み、室内機１０３の熱交換器１０４により冷房または暖房し室内に供給する。さらに粉塵センサー２８が０．１５ｍｇ以下を検出すると分岐制御手段２２が四方向分岐ユニット１７内部のダンパー板２３を室内機１０３に風路を切換え循環ダクト１９を介し室内機１０３に空気を送り込むことができ、粉塵量を低減することができる。
【０１３６】
なお、風路切換えの粉塵量を一例としてビル管理法の空気１ｍ↑３につき０．１５ｍｇとしたが、さまざまな環境により異なった値とする。
【０１３７】
（実施の形態９）
従来例、実施の形態１乃至８と同一部分は同一番号を符し、詳細な説明は省略する。
【０１３８】
図１１に示すように、吸込みユニット１０７と四方向分岐ユニット１７を分岐ダクト１８で接続し、四方向分分岐ユニット１７の室内の空気取り入れ口近くに粉塵センサー２８を設け、粉塵センサー２８は分岐制御手２２に接続され分岐ユニット接続電線２６により吸込みユニット１０７の吸気制御手段４と吹出しユニット１０８の吹出し制御手段１１に接続されている。
【０１３９】
上記構成により、室内の空気の粉塵量は粉塵センサー２８が検出し、粉塵量が０．１５ｍｇ以上になると分岐制御手段２２が四方向分岐ユニット１７内部のダンパー板２３を屋外側に風路を切換え、さらに分岐ユニット接続電線２６を介し吸気制御手段４に対して吸込みユニット１０７の吸気風量と吹出し制御手段１１に対して吹出しユニット１０８の吹出し風量を増加するように信号を送信し、粉塵量が上昇した室内の空気を早急に屋外に排出し、同時に屋外の新鮮な空気を吸い込み、室内機１０３の熱交換器１０４により冷房または暖房し室内に供給する。さらに粉塵センサー２８が０．１５ｍｇ以下を検出すると、分岐制御手段２２が四方向分岐ユニット１７内部のダンパー板２３を室内機１０３に風路を切換え循環ダクト１９を介し室内機１０３に空気を送り込むとともに、分岐ユニット接続電線２６を介し吸気制御手段４に対して吸込みユニット１０７の吸気風量と吹出し制御手段１１に対して吹出しユニット１０８の吹出し風量を通常に戻すように信号を送信することにより室内の粉塵量を急速に低減できる。
【０１４０】
四方向分岐ユニット１７の風路を切換え、よごれた室内の空気を屋外に排出することができる。
【０１４１】
（実施の形態１０）
従来例、実施の形態１乃至９と同一部分は同一番号を符し、詳細な説明は省略する。
【０１４２】
図１２に示すように、吸込みユニット１０７と四方向分岐ユニット１７を分岐ダクト１８で接続し、四方向分岐ユニット１７の室内の空気取り入れ口近くにＶＯＣセンサー２９を設け、ＶＯＣセンサー２９は分岐制御手段２２に接続されている。
【０１４３】
上記構成により、室内の空気のホルムアルデヒドはＶＯＣセンサー２９が検出し、ＶＯＣ濃度が０．０８ｐｐｍ以上になると分岐制御手段２２が四方向分岐ユニット１７内部のダンパー板２３を室外側に風路を切換えＶＯＣ濃度が上昇した室内の空気を屋外に排出し、同時に屋外の新鮮な空気を吸い込み、室内機１０３の熱交換器１０４により冷房または暖房し室内に供給する。さらにＶＯＣセンサー２９が０．０８ｐｐｍ以下を検出すると分岐制御手段２２が四方向分岐ユニット１７内部のダンパー板２３を室内機１０３に風路を切換え循環ダクト１９を介し室内機１０３に空気を送り込むことができ、ＶＯＣ濃度を低減することができる。
【０１４４】
なお、風路切換えのＶＯＣ濃度を一例としてビル管理法の０．０８ｐｐｍとしたが、さまざまな環境により異なった値とする。
【０１４５】
（実施の形態１１）
従来例、実施の形態１乃至１０と同一部分は同一番号を符し、詳細な説明は省略する。
【０１４６】
図１３に示すように、吸込みユニット１０７と四方向分岐ユニット１７を分岐ダクト１８で接続し、四方向分岐ユニット１７の室内の空気取り入れ口近くにＶＯＣセンサー２９を設け、ＶＯＣセンサー２９は分岐制御手段２２に接続され分岐ユニット接続電線２６により吸込みユニット１０７の吸気制御手段４と吹出しユニット１０８の吹出し制御手段１１に接続されている。
【０１４７】
上記構成により、室内の空気のホルムアルデヒド濃度はＶＯＣセンサー２９が検出し、ＶＯＣ濃度が０．０８ｐｐｍ以上になると分岐制御手段２２が四方向分岐ユニット１７内部のダンパー板２３を屋外側に風路を切換え、さらに分岐ユニット接続電線２６を介し吸気制御手段４に対し吸込みユニット１０７の吸気風量と吹出し制御手段１１に対して吹出しユニット１０８の吹出し風量を増加するように信号を送信し、ＶＯＣ濃度が上昇した室内の空気を早急に屋外に排出し、さらにＶＯＣセンサー２９が０．０８ｐｐｍ以下を検出すると分岐制御手段２２が四方向分岐ユニット１７内部のダンパー板２３を室内機１０３に風路を切換え循環ダクト１９を介し室内機１０３に空気を送り込むとともに分岐ユニット接続電線２６を介し吸気制御手段４に対し吸込みユニット１０７の吸気風量と吹出し制御手段１１に対して吹出しユニット１０８の吹出し風量をを通常に戻すように信号を送信することにより室内のホルムアルデヒド濃度を急速に低減できる。
【０１４８】
（実施の形態１２）
従来例、実施の形態１乃至１１と同一部分は同一番号を符し、詳細な説明は省略する。
【０１４９】
図１４に示すように、吸込みユニット１０７と四方向分岐ユニット１７を分岐ダクト１８で接続し、四方向分岐ユニット１７の室内の空気取り入れ口近くにアンモニアセンサー３０を設け、アンモニアセンサー３０は分岐制御手段２２に接続されており、さらに四方向分岐ユニット１７は、室内の空気を屋外に排出する屋外排気ダクト２０と屋外の空気を吸込むための屋外吸込みダクト２１と室内の空気を循環するための循環ダクト１９を接続し循環ダクト１９は室内機１０３に接続する。
【０１５０】
上記構成により、室内の空気のアンモニア濃度はアンモニアセンサー３０が検出し、アンモニア濃度が１ｐｐｍ以上になると分岐制御手段２２が四方向分岐ユニット１７内部のダンパー板２３を屋外側に屋外排気ダクト２０の風路を切換えアンモニア濃度が上昇した室内の空気を屋外に排出し、同時に屋外の新鮮な空気を吸い込み、室内機１０３の熱交換器１０４により冷房または暖房し室内に供給する。さらにアンモニアセンサー３０が１ｐｐｍ以下を検出すると分岐制御手段２２が四方向分岐ユニット１７内部のダンパー板２３を室内機１０３側に風路を切換え循環ダクト１９を介し室内機１０３に空気を送り込むことができ、アンモニア濃度を低減することができる。
【０１５１】
（実施の形態１３）
従来例、実施の形態１乃至１２と同一部分は同一番号を符し、詳細な説明は省略する。
【０１５２】
図１５に示すように、吸込みユニット１０７と四方向分岐ユニット１７を分岐ダクト１８で接続し、四方向分岐ユニット１７の室内の空気取り入れ口近くにアンモニアセンサー３０を設け、アンモニアセンサー３０は分岐制御手段２２に接続され分岐ユニット接続電線２６により吸込みユニット１０７の吸気制御手段４と吹出しユニット１０８の吹出し制御手段１１に接続される。また、四方向分岐ユニット１７は、室内の空気を屋外に排出する屋外排気ダクト２０と屋外の空気を吸込むための屋外吸込みダクト２１と室内の空気を循環するための循環ダクト１９を接続し、循環ダクト１９は室内機１０３に接続する。
【０１５３】
上記構成により、室内の空気のアンモニア濃度はアンモニアセンサー３０が検出し、アンモニア濃度が１ｐｐｍ以上になると分岐制御手段２２が四方向分岐ユニット１７内部のダンパー板２３を屋外側に風路を切換え、さらに分岐ユニット接続電線２６を介し吸気制御手段４に対し吸込みユニット１０７の吸気風量と吹出し制御手段１１に対して吹出しユニット１０８の吹出し風量を増加するように信号を送信し、アンモニア濃度が上昇した室内の空気を早急に屋外に排出し、同時に屋外の新鮮な空気を屋外吸込みダクト２１を介して吸込み室内機１０３の熱交換器１０４を通して冷房または暖房し、吹出しユニット１０８から室内に供給する。
【０１５４】
さらにアンモニアセンサー３０が１ｐｐｍ以下を検出すると分岐制御手段２２が四方向分岐ユニット１７内部のダンパー板２３を室内機１０３に風路を切換え循環ダクト１９を介し室内機１０３に空気を送り込むとともに分岐ユニット接続電線２６を介し吸気制御手段４に対し吸込みユニット１０７の吸気風量と吹出し制御手段１１に対して吹出しユニット１０８の吹出し風量を通常に戻すように信号を送信することにより室内のアンモニア濃度を急速に低減することができる。
【０１５５】
（実施の形態１４）
従来例、実施の形態１乃至１３と同一部分は同一番号を符し、詳細な説明は省略する。
【０１５６】
図１６に示すように、吹出しユニット１０８に人感センサー３１を設け、人感センサー３１は人感制御手段３２に接続されており、人感制御手段３２は吹出しユニット１０８の吹出し制御手段１１と吸込みユニット１０７の吸気制御手段４に接続されている。
【０１５７】
上記構成により、人感センサー３１が室内に人を検知すると人感制御手段３２は吹出しユニット１０８の吹出し制御手段１１と吸込みユニット１０７の吸気制御手段４に対し吹出しユニット１０８の吹出し風量と吸込みユニット１０７の吸気風量を増加するように信号を送信することで、室内の温度変化を短時間で安定することができる。なお、人感センサー３１としては、赤外センサーがある。人感制御手段３２の一例として、人感センサー３１の値を検出する電圧検出素子とマイコンと吹出し制御手段１１と吸気制御手段４と通信するためのトランジスタやホトカプラー等を備えたものであり、室内に人を検知すると人感制御手段３２は吹出しユニット１０８の吹出し制御手段１１と吸込みユニット１０７の吸気制御手段４に対し吹出しユニット１０８の吹出し風量と吸込みユニット１０７の吸気風量を増加するように信号を送信するようにプログラムされたマイコンを備えたものである。
【０１５８】
（実施の形態１５）
従来例、実施の形態１乃至１４と同一部分は同一番号を符し、詳細な説明は省略する。
【０１５９】
図１７に示すように、吸込みユニット１０７に人感センサー３１を設け、人感センサー３１は人感制御手段３２に接続されており、吸込みユニット１０７は四方向分岐ユニット１７と分岐ダクト１８で接続し、四方向分岐ユニット１７は、室内の空気を屋外に排出する屋外排気ダクト２０と屋外の空気を吸込むための屋外吸込みダクト２１と室内の空気を循環するための循環ダクト１９を接続し循環ダクト１９は室内機１０３に接続する。人感制御手段３２は分岐制御手段２２に接続され、さらに吸込みユニット１０７の吸気制御手段４と吹出しユニット１０８の吹出し制御手段１１に接続されている。
【０１６０】
上記構成により、人感センサー３１が室内に人を検知すると人感制御手段３２は分岐制御手段２２に対し四方向分岐ユニット１７内部のダンパー板２３を屋外側に風路を切換える信号を送信し風路を屋外排気ダクト２０に切換え、さらに、分岐制御手段２２は吸込みユニット１０７の吸気制御手段４に対し吸気風量と吹出しユニット１０８の吹出し制御手段１１に対し吹出し風量を増加する信号を送信し、室内のタバコなどの臭いやＣＯ↓２を急速に低減することができる。
【０１６１】
（実施の形態１６）
従来例、実施の形態１乃至１５と同一部分は同一番号を符し、詳細な説明は省略する。
【０１６２】
図１８に示すように、吸込みユニット１０７にサーミスタ３を設け、サーミスタ３は温度制御手段３３に接続され温度接続電線３４により吸込みユニット１０７の吸気制御手段４と吹出しユニット１０８の吹出し制御手段１１に接続されており、吸気制御手段４は各室内１１１に設置されているリモコン１６と信号線３５を介して室内機１０３の室内制御手段３６に接続されており、室内制御手段３６は室内外接続電線３７を介し室外機１０１に接続されている。
【０１６３】
上記構成により、吸気制御手段４と吹出し制御手段１１は、リモコン１６からの設定温度を認識し、サーミスタ３が検出した値を温度制御手段３３より温度接続電線３４を介して受信し、リモコン１６の設定温度と温度制御手段３３からのデータの比較をする。冷房時リモコン１６の設定温度が高いときは、吸気制御手段４は吸込みユニット１０７の吸気風量を増加し、吹出し制御手段１１は吹出しユニット１０８の吹出し風量を増加するとともに室内制御手段３６に対し、室外能力増加信号（図示せず）を送信する。室内制御手段３６は各室内１１１に設置している吸気制御手段４と吹出し制御手段１１からの室外能力増加信号（図示せず）を加算し、室外機１０１のコンプレッサー周波数信号（図示せず）として室内外接続電線３７を介して室外機１０１に送信する。また、冷房時リモコン１６の設定温度が低いときは、吸込みユニット１０７の吸気風量と吹出しユニット１０８の吹出し風量を停止し、室外能力不要信号（図示せず）を室内制御手段３６に対し送信し、室内制御手段３６は、各吸気制御手段４と各吹出し制御手段１１からの室外能力増加信号（図示せず）や室外能力不要信号（図示せず）を加算し、室外機１０１のコンプレッサー周波数信号として室内外接続電線３７を介して室外機１０１に送信することにより、システムの消費電力を低減できる。
【０１６４】
室内制御手段３６の一例としては、各室内１１１に設置している吸気制御手段４と吹出し制御手段１１からの室外能力増加信号（図示せず）または、室外能力不要信号（図示せず）を加算し、室外機１０１のコンプレッサー周波数信号として室内外接続電線３７を介して室外機１０１に送信するようにプログラムされたマイコンを備え、各室内１１１に備えている吸気制御手段４と吹出し制御手段１１と通信するためのトランジスタやホトカプラー等を備えたものである。
【産業上の利用可能性】
【０１６５】
空気調和機内部の吸気ファンをなくし、吸込み口と吹出し口の両方に送風用ファンを設けことにより、ダクト長やダクトの曲がりそして分岐数を気にすることなく施工できることにより、浴室暖房乾燥機や換気扇にも適用できる。
【図面の簡単な説明】
【０１６６】
【図１】本発明の実施の形態１の構成図
【図２】本発明の実施の形態１の構成図
【図３】本発明の実施の形態１の構成図
【図４】本発明の実施の形態２の構成図
【図５】本発明の実施の形態３の構成図
【図６】本発明の実施の形態４の構成図
【図７】本発明の実施の形態５の構成図
【図８】本発明の実施の形態６の構成図
【図９】本発明の実施の形態７の構成図
【図１０】本発明の実施の形態８の構成図
【図１１】本発明の実施の形態９の構成図
【図１２】本発明の実施の形態１０の構成図
【図１３】本発明の実施の形態１１の構成図
【図１４】本発明の実施の形態１２の構成図
【図１５】本発明の実施の形態１３の構成図
【図１６】本発明の実施の形態１４の構成図
【図１７】本発明の実施の形態１５の構成図
【図１８】本発明の実施の形態１６の構成図
【図１９】従来の空気調和機の構成図
【図２０】同構成図
【符号の説明】
【０１６７】
１      吸気モータ
２      吸気ファン
３      サーミスタ
４      吸気制御手段
５      モータ駆動手段
６      駆動電線
７      電流検出手段
８      マイコン
９      吹出しモータ
１０    吹出しファン
１１    吹出し制御手段
１２    モータ駆動手段ａ
１３    駆動電線ａ
１４    電流検出手段ａ
１５    マイコンａ
１６    リモコン
１７    四方向分岐ユニット
１８    分岐ダクト
１９    循環ダクト
２０    屋外排気ダクト
２１    屋外吸込みダクト
２２    分岐制御手段
２３    ダンパー板
２４    センサー
２５    ＣＯ２センサー
２６    分岐ユニット接続電線
２７    ＣＯセンサー
２８    粉塵センサー
２９    ＶＯＣセンサー
３０    アンモニアセンサー
３１    人感センサー
３２    人感制御手段
３３    温度制御手段
３４    温度接続電線
３５    信号線
３６    室内制御手段
３７    室内外接続電線
１０１  室外機
１０２  冷媒配管
１０３  室内機
１０４  熱交換器
１０５  送風室内ファン
１０６  送風ダクト
１０７  吸込みユニット
１０８  吹出しユニット
１０９  吸込みダクト
１１０  リモコンａ
１１１  室内
１１２  室内制御手段ａ  
【図１】
2007071495.tif 000003
【図２】
2007071495.tif 000004
【図３】
2007071495.tif 000005
【図４】
2007071495.tif 000006
【図５】
2007071495.tif 000007
【図６】
2007071495.tif 000008
【図７】
2007071495.tif 000009
【図８】
2007071495.tif 000010
【図９】
2007071495.tif 000011
【図１０】
2007071495.tif 000012
【図１１】
2007071495.tif 000013
【図１２】
2007071495.tif 000014
【図１３】
2007071495.tif 000015
【図１４】
2007071495.tif 000016
【図１５】
2007071495.tif 000017
【図１６】
2007071495.tif 000018
【図１７】
2007071495.tif 000019
【図１８】
2007071495.tif 000020
【図１９】
2007071495.tif 000021
【図２０】
2007071495.tif 000022